(57)【特許請求の範囲】
【請求項１】
円弧状部を開口縁に有するシート状の前胴部と、
前記前胴部と同一性を有し、円弧状部を開口縁に有するシート状の後胴部と、
前記開口縁以外の領域において、前記前胴部及び前記後胴部を折り返し可能に連結する連結部と、
前記前胴部及び後胴部の開口縁に沿うファスナ部とを備え、
胴部内に被収納物を入れる空間が形成されるフォルダであって、
前記前胴部及び後胴部は、柔軟性を有する基層部と、ファスナ部を形成するファスナ部材を溶着させるための溶着層部とを有する合成樹脂により形成され、
前記前胴部は、その隅部の円弧状部が、外側に膨らむ円弧状に形成され、前記後胴部は、その隅部の円弧状部が、外側に膨らむ円弧状に形成され、
前記ファスナ部は、溶着部を前胴部及び後胴部の溶着層部と溶着できる合成樹脂により形成された、一つの連続したファスナ部材を、前記前胴部の開口縁及び前記後胴部の開口縁に沿ってその内側面の溶着層部に溶着して取り付けられて形成され、
前記ファスナ部材は、前胴部に溶着されて第１ファスナ部を構成する第１ファスナ部材と、後胴部に溶着されて第２ファスナ部を構成する第２ファスナ部材とを備え、
前記第１ファスナ部材及び第２ファスナ部材は、前胴部及び後胴部に溶着される前は熱接着性を有する合成樹脂で略々直線状に形成されており、それぞれは、何れの箇所を切断しても同一断面形状を有しており、フォルダの閉口時に密着するように、全体の幅及び長さが同じであり、
前記第１ファスナ部材は、開口縁に沿い且つ円弧状部に沿ってわん曲させて溶着させることができるように柔軟で幅狭な帯状の溶着部と、開口縁に沿い且つ円弧状部に沿ってわん曲させて溶着させることができるように柔軟で幅狭な筋状であるとともに、前記溶着部から前胴部側に向けて突出され、その内部に挟持するための空隙を有するように構成された、挟持凹部とを有し、
前記挟持凹部は、左右に分かれた筋状の突起で構成され、２条の突起の間に第２ファスナ部の凸条部を挟持するための空隙を形成され、前記空隙は、第１ファスナ部の端において塞がれ、
前記第１ファスナ部材は、外側端縁を前胴部の開口縁の縁と揃うように重ね合わせて、溶着部において前胴部の溶着層部と溶着され、第１ファスナ部を構成し、
前記第２ファスナ部材は、開口縁に沿い且つ円弧状部に沿ってわん曲させて溶着させることができるように柔軟で幅狭な帯状の溶着部と、開口縁に沿い且つ円弧状部に沿ってわん曲させて溶着させることができるように柔軟で幅狭な筋状であるとともに、前記溶着部から前胴部側に向けて突出された凸条部とを有し、
前記第２ファスナ部材は、外側端縁を後胴部の開口縁の縁と揃うように重ね合わせて、溶着部において後胴部の溶着層部と溶着され、第２ファスナ部を構成し、
前記第１ファスナ部は、フォルダの閉口時に第２ファスナ部と重なるように開口部において同一位置に形成され、開口縁に沿い且つ円弧状部に沿ってわん曲する帯状の溶着部と、開口縁に沿い且つ円弧状部に沿ってわん曲する柔軟で幅狭な筋状であるとともに、前記溶着部から後胴部側に向けて突出された、挟持凹部とを有し、
前記第２ファスナ部は、フォルダの閉口時に第１ファスナ部と重なるように開口部において同一位置に形成され、開口縁に沿い且つ円弧状部に沿ってわん曲させて溶着させることができるように柔軟で幅狭な帯状の溶着部と、開口縁に沿い且つ円弧状部に沿ってわん曲させて溶着させることができるように柔軟で幅狭な筋状であるとともに、前記溶着部から前胴部側に向けて突出された凸条部とを有し、
前記第１ファスナ部の挟持凹部は、前胴部の表面と直交するように、その溶着部の内部から溶着部と交差する方向に突き出された幅狭の立設部と、前記立設部の自由端において、前記立設部と交差する方向に突き出された係合部とを備え、
前記第２ファスナ部の凸条部は、後胴部の表面と直交するように、その溶着部の内部から溶着部と直交する方向に突き出た幅狭の立設部と、前記立設部の自由端において、前記立設部と交差する方向に突き出された嵌合部とを備え、
前記第１ファスナ部及び第２ファスナ部の溶着部は、前胴部及び後胴部の開口縁に沿って溶着される内溶着部と、立設部より前胴部及び後胴部の外側に位置して溶着される外溶着部とに、立設部を挟んで２条に分かれて形成され、
前記第１ファスナ部の溶着部は、挟持凹部を形成された面とは反対側の溶着部の面を、前胴部の内側面の溶着層部に接し合わされて溶着しない部分を残して間欠的に溶着されて形成され、
前記第２ファスナ部の溶着部は、凸条部を形成された面とは反対側の溶着部の面を、後胴部の内側面の溶着層部に接し合わされて溶着しない部分を残して間欠的に溶着されて形成され、
前記第１ファスナ部は、
前記立設部を、第２ファスナ部の凸条部の両側において間隔をおいて２条形成され、前記係合部を、閉口時に第２ファスナ部の嵌合部の溶着部側に位置するように、第２ファスナ部の凸条部の嵌合部の両側に係合させて第２ファスナ部の嵌合部を嵌合させるように形成され、且つ、
前記挟持凹部を、前記第２ファスナ部の凸条部の両側に位置して閉口時に凸条部を挟持するように構成された、フォルダ。
【請求項２】
前記前胴部の第１ファスナ部の溶着部分は、内側面に溶着による膨らみが形成され、外側面に溶着による膨らみを形成されないように形成され、
前記後胴部の第２ファスナ部の溶着部分は、内側面に溶着による膨らみが形成され、外側面に溶着による膨らみを形成されないように形成され、
前記前胴部の第１ファスナ部の領域及び後胴部の第２ファスナ部の領域は、その外表面が円滑に形成された、請求項１に記載のフォルダ。
【請求項３】
前記ファスナ部材は、溶着部を前胴部及び後胴部の内側面と溶着できる熱接着性を有する合成樹脂により形成され、且つ、前記前胴部及び後胴部の溶着層部と同一性を有する合成樹脂により形成された、請求項１又は請求項２に記載のフォルダ。
【請求項４】
前記前胴部及び後胴部は、溶着層部がファスナ部を構成するファスナ部材を溶着できる合成樹脂により形成され、
前記ファスナ部を構成するファスナ部材は、溶着部を前胴部及び後胴部の内側面の溶着層部と溶着できる合成樹脂により、一体成形された、請求項１ないし請求項３のいずれかに記載のフォルダ。
【請求項５】
前記前胴部及び後胴部の円弧状部は、外方に向けて膨らむ円弧状部であって、曲率半径が２０ｍｍを超え、１００ｍｍ未満である、請求項１ないし請求項４のいずれかに記載のフォルダ。
【請求項６】
前記前胴部及び後胴部のファスナ部との接着領域は、厚さが、０．４ｍｍ以下で０．１ｍｍ以上である、請求項１ないし請求項５のいずれかに記載のフォルダ。
【請求項７】
前記前胴部及び後胴部のファスナ部との接着領域にファスナ部を溶着したときの溶着領域の膨らみは、０．０６ｍｍ未満で０．０２ｍｍを超えるように、合成樹脂シートの前胴部及び後胴部のファスナ部との接着領域を形成されている、請求項１ないし請求項６のいずれかに記載のフォルダ。
【発明の詳細な説明】
【技術分野】
【０００１】
本発明は、フォルダに関し、特に、例えば開口縁に円弧状部を有し、円弧状部を挟む２辺の開口縁が開閉可能なフォルダに関する。
【背景技術】
【０００２】
本発明の背景となる従来のフォルダは、少なくとも隣接する２辺が開口されたフォルダ本体を有するフォルダであって、前記隣接する２辺で構成される前記フォルダ本体の隅の端部が円弧状に形成され、前記フォルダ本体の前記隣接する少なくとも２辺に沿って形成された合成樹脂製の１つのファスナを含むものがあった。
【先行技術文献】
【特許文献】
【０００３】
【特許文献１】実開昭６３−１１２０７３号公報
【発明の概要】
【発明が解決しようとする課題】
【０００４】
このような従来のフォルダは、フォルダ本体の外側にファスナが形成されているので、異質なファスナが取り付けられているような観があり、ファスナの内側に鋭角の切欠部を形成してフォルダ本体に溶着しているために生産性も良くなかった。
それゆえに、この発明の主たる目的は、見映えが良く生産性を上げることができる、フォルダを提供することである。
【課題を解決するための手段】
【０００５】
この発明にかかるフォルダは、円弧状部を開口縁に有するシート状の前胴部と、前記前胴部と同一性を有し、円弧状部を開口縁に有するシート状の後胴部と、前記開口縁以外の領域において、前記前胴部及び前記後胴部を折り返し可能に連結する連結部と、前記前胴部及び後胴部の開口縁に沿うファスナ部とを備え、胴部内に被収納物を入れる空間が形成されるフォルダであって、前記前胴部及び後胴部は、柔軟性を有する基層部と、ファスナ部を形成するファスナ部材を溶着させるための溶着層部とを有する合成樹脂により形成され、前記前胴部は、その隅部の円弧状部が、外側に膨らむ円弧状に形成され、前記後胴部は、その隅部の円弧状部が、外側に膨らむ円弧状に形成され、前記ファスナ部は、溶着部を前胴部及び後胴部の溶着層部と溶着できる合成樹脂により形成された、一つの連続したファスナ部材を、前記前胴部の開口縁及び前記後胴部の開口縁に沿ってその内側面の溶着層部に溶着して取り付けられて形成され、前記ファスナ部材は、前胴部に溶着されて第１ファスナ部を構成する第１ファスナ部材と、後胴部に溶着されて第２ファスナ部を構成する第２ファスナ部材とを備え、前記第１ファスナ部材及び第２ファスナ部材は、前胴部及び後胴部に溶着される前は熱接着性を有する合成樹脂で略々直線状に形成されており、それぞれは、何れの箇所を切断しても同一断面形状を有しており、フォルダの閉口時に密着するように、全体の幅及び長さが同じであり、前記第１ファスナ部材は、開口縁に沿い且つ円弧状部に沿ってわん曲させて溶着させることができるように柔軟で幅狭な帯状の溶着部と、開口縁に沿い且つ円弧状部に沿ってわん曲させて溶着させることができるように柔軟で幅狭な筋状であるとともに、前記溶着部から前胴部側に向けて突出され、その内部に挟持するための空隙を有するように構成された、挟持凹部とを有し、前記挟持凹部は、左右に分かれた筋状の突起で構成され、２条の突起の間に第２ファスナ部の凸条部を挟持するための空隙を形成され、前記空隙は、第１ファスナ部の端において塞がれ、前記第１ファスナ部材は、外側端縁を前胴部の開口縁の縁と揃うように重ね合わせて、溶着部において前胴部の溶着層部と溶着され、第１ファスナ部を構成し、前記第２ファスナ部材は、開口縁に沿い且つ円弧状部に沿ってわん曲させて溶着させることができるように柔軟で幅狭な帯状の溶着部と、開口縁に沿い且つ円弧状部に沿ってわん曲させて溶着させることができるように柔軟で幅狭な筋状であるとともに、前記溶着部から前胴部側に向けて突出された凸条部とを有し、前記第２ファスナ部材は、外側端縁を後胴部の開口縁の縁と揃うように重ね合わせて、溶着部において後胴部の溶着層部と溶着され、第２ファスナ部を構成し、前記第１ファスナ部は、フォルダの閉口時に第２ファスナ部と重なるように開口部において同一位置に形成され、開口縁に沿い且つ円弧状部に沿ってわん曲する帯状の溶着部と、開口縁に沿い且つ円弧状部に沿ってわん曲する柔軟で幅狭な筋状であるとともに、前記溶着部から後胴部側に向けて突出された、挟持凹部とを有し、前記第２ファスナ部は、フォルダの閉口時に第１ファスナ部と重なるように開口部において同一位置に形成され、開口縁に沿い且つ円弧状部に沿ってわん曲させて溶着させることができるように柔軟で幅狭な帯状の溶着部と、開口縁に沿い且つ円弧状部に沿ってわん曲させて溶着させることができるように柔軟で幅狭な筋状であるとともに、前記溶着部から前胴部側に向けて突出された凸条部とを有し、前記第１ファスナ部の挟持凹部は、前胴部の表面と直交するように、その溶着部の内部から溶着部と交差する方向に突き出された幅狭の立設部と、前記立設部の自由端において、前記立設部と交差する方向に突き出された係合部とを備え、前記第２ファスナ部の凸条部は、後胴部の表面と直交するように、その溶着部の内部から溶着部と直交する方向に突き出た幅狭の立設部と、前記立設部の自由端において、前記立設部と交差する方向に突き出された嵌合部とを備え、前記第１ファスナ部及び第２ファスナ部の溶着部は、前胴部及び後胴部の開口縁に沿って溶着される内溶着部と、立設部より前胴部及び後胴部の外側に位置して溶着される外溶着部とに、立設部を挟んで２条に分かれて形成され、前記第１ファスナ部の溶着部は、挟持凹部を形成された面とは反対側の溶着部の面を、前胴部の内側面の溶着層部に接し合わされて溶着しない部分を残して間欠的に溶着されて形成され、前記第２ファスナ部の溶着部は、凸条部を形成された面とは反対側の溶着部の面を、後胴部の内側面の溶着層部に接し合わされて溶着しない部分を残して間欠的に溶着されて形成され、前記第１ファスナ部は、前記立設部を、第２ファスナ部の凸条部の両側において間隔をおいて２条形成され、前記係合部を、閉口時に第２ファスナ部の嵌合部の溶着部側に位置するように、第２ファスナ部の凸条部の嵌合部の両側に係合させて第２ファスナ部の嵌合部を嵌合させるように形成され、且つ、前記挟持凹部を、前記第２ファスナ部の凸条部の両側に位置して閉口時に凸条部を挟持するように構成された、フォルダである。
この発明の請求項２にかかるフォルダにおいては、前記前胴部の第１ファスナ部の溶着部分は、内側面に溶着による膨らみが形成され、外側面に溶着による膨らみを形成されないように形成され、前記後胴部の第２ファスナ部の溶着部分は、内側面に溶着による膨らみが形成され、外側面に溶着による膨らみを形成されないように形成され、前記前胴部の第１ファスナ部の領域及び後胴部の第２ファスナ部の領域は、その外表面が円滑に形成された、請求項１に記載のフォルダである。
この発明の請求項３にかかるフォルダにおいては、前記ファスナ部材は、溶着部を前胴部及び後胴部の内側面と溶着できる熱接着性を有する合成樹脂により形成され、且つ、前記前胴部及び後胴部の溶着層部と同一性を有する合成樹脂により形成された、請求項１又は請求項２に記載のフォルダである。
この発明の請求項４にかかるフォルダにおいては、前記前胴部及び後胴部は、溶着層部がファスナ部を構成するファスナ部材を溶着できる合成樹脂により形成され、前記ファスナ部を構成するファスナ部材は、溶着部を前胴部及び後胴部の内側面の溶着層部と溶着できる合成樹脂により、一体成形された、請求項１ないし請求項３のいずれかに記載のフォルダである。
この発明の請求項５にかかるフォルダにおいては、前記前胴部及び後胴部の円弧状部は、外方に向けて膨らむ円弧状部であって、曲率半径が２０ｍｍを超え、１００ｍｍ未満である、請求項１ないし請求項４のいずれかに記載のフォルダである。
この発明の請求項６にかかるフォルダにおいては、前記前胴部及び後胴部のファスナ部との接着領域は、厚さが、０．４ｍｍ以下で０．１ｍｍ以上である、請求項１ないし請求項５のいずれかに記載のフォルダである。
この発明の請求項７にかかるフォルダにおいては、前記前胴部及び後胴部のファスナ部との接着領域にファスナ部を溶着したときの溶着領域の膨らみは、０．０６ｍｍ未満で０．０２ｍｍを超えるように、合成樹脂シートの前胴部及び後胴部のファスナ部との接着領域を形成されている、請求項１ないし請求項６のいずれかに記載のフォルダである。
この発明にかかるフォルダは、前記前胴部と後胴部とは、開口縁以外の領域において連結された構成とされてもよい。
この発明にかかるフォルダは、前記前胴部と後胴部とは、柔軟性を有する基層部と、前記基層部のファスナ部の溶着部と溶着される面に形成された溶着層部とを有する、合成樹脂シートにより形成された構成とされてもよい。
【発明の効果】
【０００６】
この発明によれば、円弧状部を開口縁に有するシート状の前胴部と、前記前胴部と同一性を有し、円弧状部を開口縁に有するシート状の後胴部と、前記開口縁以外の領域において、前記前胴部及び前記後胴部を折り返し可能に連結する連結部と、前記前胴部及び後胴部の開口縁に沿うファスナ部とを備え、胴部内に被収納物を入れる空間が形成されるフォルダであって、前記前胴部及び後胴部は、柔軟性を有する基層部と、ファスナ部を形成するファスナ部材を溶着させるための溶着層部とを有する合成樹脂により形成され、前記前胴部は、その隅部の円弧状部が、外側に膨らむ円弧状に形成され、前記後胴部は、その隅部の円弧状部が、外側に膨らむ円弧状に形成され、前記ファスナ部は、溶着部を前胴部及び後胴部の溶着層部と溶着できる合成樹脂により形成された、一つの連続したファスナ部材を、前記前胴部の開口縁及び前記後胴部の開口縁に沿ってその内側面の溶着層部に溶着して取り付けられて形成され、前記ファスナ部材は、前胴部に溶着されて第１ファスナ部を構成する第１ファスナ部材と、後胴部に溶着されて第２ファスナ部を構成する第２ファスナ部材とを備え、前記第１ファスナ部材及び第２ファスナ部材は、前胴部及び後胴部に溶着される前は熱接着性を有する合成樹脂で略々直線状に形成されており、それぞれは、何れの箇所を切断しても同一断面形状を有しており、フォルダの閉口時に密着するように、全体の幅及び長さが同じであり、前記第１ファスナ部材は、開口縁に沿い且つ円弧状部に沿ってわん曲させて溶着させることができるように柔軟で幅狭な帯状の溶着部と、開口縁に沿い且つ円弧状部に沿ってわん曲させて溶着させることができるように柔軟で幅狭な筋状であるとともに、前記溶着部から前胴部側に向けて突出され、その内部に挟持するための空隙を有するように構成された、挟持凹部とを有し、前記挟持凹部は、左右に分かれた筋状の突起で構成され、２条の突起の間に第２ファスナ部の凸条部を挟持するための空隙を形成され、前記空隙は、第１ファスナ部の端において塞がれ、前記第１ファスナ部材は、外側端縁を前胴部の開口縁の縁と揃うように重ね合わせて、溶着部において前胴部の溶着層部と溶着され、第１ファスナ部を構成し、前記第２ファスナ部材は、開口縁に沿い且つ円弧状部に沿ってわん曲させて溶着させることができるように柔軟で幅狭な帯状の溶着部と、開口縁に沿い且つ円弧状部に沿ってわん曲させて溶着させることができるように柔軟で幅狭な筋状であるとともに、前記溶着部から前胴部側に向けて突出された凸条部とを有し、前記第２ファスナ部材は、外側端縁を後胴部の開口縁の縁と揃うように重ね合わせて、溶着部において後胴部の溶着層部と溶着され、第２ファスナ部を構成し、前記第１ファスナ部は、フォルダの閉口時に第２ファスナ部と重なるように開口部において同一位置に形成され、開口縁に沿い且つ円弧状部に沿ってわん曲する帯状の溶着部と、開口縁に沿い且つ円弧状部に沿ってわん曲する柔軟で幅狭な筋状であるとともに、前記溶着部から後胴部側に向けて突出された、挟持凹部とを有し、前記第２ファスナ部は、フォルダの閉口時に第１ファスナ部と重なるように開口部において同一位置に形成され、開口縁に沿い且つ円弧状部に沿ってわん曲させて溶着させることができるように柔軟で幅狭な帯状の溶着部と、開口縁に沿い且つ円弧状部に沿ってわん曲させて溶着させることができるように柔軟で幅狭な筋状であるとともに、前記溶着部から前胴部側に向けて突出された凸条部とを有し、前記第１ファスナ部の挟持凹部は、前胴部の表面と直交するように、その溶着部の内部から溶着部と交差する方向に突き出された幅狭の立設部と、前記立設部の自由端において、前記立設部と交差する方向に突き出された係合部とを備え、前記第２ファスナ部の凸条部は、後胴部の表面と直交するように、その溶着部の内部から溶着部と直交する方向に突き出た幅狭の立設部と、前記立設部の自由端において、前記立設部と交差する方向に突き出された嵌合部とを備え、前記第１ファスナ部及び第２ファスナ部の溶着部は、前胴部及び後胴部の開口縁に沿って溶着される内溶着部と、立設部より前胴部及び後胴部の外側に位置して溶着される外溶着部とに、立設部を挟んで２条に分かれて形成され、前記第１ファスナ部の溶着部は、挟持凹部を形成された面とは反対側の溶着部の面を、前胴部の内側面の溶着層部に接し合わされて溶着しない部分を残して間欠的に溶着されて形成され、前記第２ファスナ部の溶着部は、凸条部を形成された面とは反対側の溶着部の面を、後胴部の内側面の溶着層部に接し合わされて溶着しない部分を残して間欠的に溶着されて形成され、前記第１ファスナ部は、前記立設部を、第２ファスナ部の凸条部の両側において間隔をおいて２条形成され、前記係合部を、閉口時に第２ファスナ部の嵌合部の溶着部側に位置するように、第２ファスナ部の凸条部の嵌合部の両側に係合させて第２ファスナ部の嵌合部を嵌合させるように形成され、且つ、前記挟持凹部を、前記第２ファスナ部の凸条部の両側に位置して閉口時に凸条部を挟持するように構成されているので、見映えが良く生産性を上げることができる、フォルダを提供することができる。
この発明の請求項２にかかるフォルダによれば、前記前胴部の第１ファスナ部の溶着部分は、内側面に溶着による膨らみが形成され、外側面に溶着による膨らみを形成されないように形成され、前記後胴部の第２ファスナ部の溶着部分は、内側面に溶着による膨らみが形成され、外側面に溶着による膨らみを形成されないように形成され、前記前胴部の第１ファスナ部の領域及び後胴部の第２ファスナ部の領域は、その外表面が円滑に形成されているので、わん曲させて開口部を閉口する時に塞ぐようにファスナ部を構成することができる。
この発明の請求項３にかかるフォルダによれば、前記ファスナ部材は、溶着部を前胴部及び後胴部の内側面と溶着できる熱接着性を有する合成樹脂により形成され、且つ、前記前胴部及び後胴部の溶着層部と同一性を有する合成樹脂により形成されているので、わん曲させて開口部を閉口する時に塞ぐようにファスナ部を構成することができる。
この発明の請求項４にかかるフォルダによれば、前記前胴部及び後胴部は、溶着層部がファスナ部を構成するファスナ部材を溶着できる合成樹脂により形成され、前記ファスナ部を構成するファスナ部材は、溶着部を前胴部及び後胴部の内側面の溶着層部と溶着できる合成樹脂により、一体成形されているので、わん曲させて開口部を閉口する時に塞ぐようにファスナ部を構成することができる。
この発明の請求項５にかかるフォルダによれば、前記前胴部及び後胴部の円弧状部は、外方に向けて膨らむ円弧状部であって、曲率半径が２０ｍｍを超え、１００ｍｍ未満であるので、ファスナ部をシワがよることなく美麗に効率よく生産できる。
この発明の請求項６にかかるフォルダによれば、前記前胴部及び後胴部のファスナ部との接着領域は、厚さが、０．４ｍｍ以下で０．１ｍｍ以上であるので、ファスナ部をシワがよることなく美麗に効率よく生産できる。
この発明の請求項７にかかるフォルダによれば、前記前胴部及び後胴部のファスナ部との接着領域にファスナ部を溶着したときの溶着領域の膨らみは、０．０６ｍｍ未満で０．０２ｍｍを超えるように、合成樹脂シートの前胴部及び後胴部のファスナ部との接着領域を形成されているので、ファスナ部をシワがよることなく美麗に効率よく生産できる。
【０００７】
この発明の上述の目的、その他の目的、特徴及び利点は、図面を参照して行う以下の発明を実施するための形態の説明から一層明らかとなろう。
【図面の簡単な説明】
【０００８】
【図１】本発明の一実施の形態であるフォルダを示す斜視図解図である。
【図２】図１図示実施の形態のフォルダ本体を開口した状態の斜視図解図である。
【図３】図２Ａ部拡大図解図である。
【図４】図２Ｂ部拡大図解図である。
【図５】図３Ｃ−Ｃ断面図解図である。
【図６】図３Ｄ−Ｄ断面図解図である。
【図７】図２Ｅ−Ｅ断面図解図であり、（Ａ）は開口時の図であり、（Ｂ）は閉口時の図である。
【図８】図２Ｆ−Ｆ断面図解図である。
【図９】図１図示フォルダの円弧状部の形状を示す平面図解図である。
【図１０】第１ファスナ部材の図であり、（Ａ）は平面図解図であり、（Ｂ）は斜視図解図である。
【図１１】第２ファスナ部材の図であり、（Ａ）は平面図解図であり、（Ｂ）は斜視図解図である。
【図１２】超音波溶着装置のアンビルの断面図解図である。
【図１３】超音波溶着により胴部の生地にファスナ部材を溶着したときの生地の厚さとファスナ部材の溶着膨らみとの関係を示す図である。
【図１４】図１図示の実施の形態の変形例を示す平面図解図である。
【図１５】図１図示の実施の形態の変形例を示す平面図解図である。
【図１６】図１図示の実施の形態の変形例を示す平面図解図である。
【図１７】フォルダの各部の名称を示す図解図である。
【発明を実施するための形態】
【０００９】
図１は、この発明の一実施の形態であるフォルダを示す斜視図解図である。
このフォルダ１０は、紙用品，事務用品等を収納する胴部に、円弧状の隅部を挟み２辺の開口縁を形成されたフォルダ本体１２を含む。
この実施の形態においては、直線状の上辺と底辺並びに上辺及び底辺に隅部を介して連設された左右の側辺とを有する、略方形状に構成されている。
このフォルダ本体１２は、図１及び図２に示すように、２枚重ねに重ね合わされて胴部を構成する、ほぼ同じ大きさ（同一性を有する）のシート状の前胴部１４及びシート状の後胴部１６を有する。すなわち、前胴部１４及び後胴部１６は、上辺及び一方の側辺（左側の辺）の開口縁２０及び開口縁２６以外の領域において連結部１８により連結されかつ図２で示す方向に折り返し可能に形成され、胴部内に被収納物を入れる空間が形成されている。
この実施の形態においては、開口縁２０及び開口縁２６は上辺及び一方の側辺（左側辺）を構成し、連結部１８は、底辺及び他方の側辺（右側辺）を構成する。
前胴部１４は、開口縁２０に円弧状部２２を有し、後胴部１６は、開口縁２６に円弧状部２８を有する。前胴部１４の円弧状部２２と後胴部１６の円弧状部２８とは、曲率半径が同じで、略同一の形状を有する。
前胴部１４の開口縁２０は、円弧状部２２を挟んで、上辺と側辺との２辺の直線部２４を有し、後胴部１６の開口縁２６は、円弧状部２８を挟んで、上辺と側辺との２辺の直線部３０を有する。前胴部１４の直線部２４と後胴部１６の直線部３０とは、その長さが同じで、略同一の形状を有する。
フォルダ本体１２は、透明又は半透明な柔軟な合成樹脂で形成されている。
【００１０】
前胴部１４は、開口縁２０に沿って第１ファスナ部４０を形成され、後胴部１６は、開口縁２６に沿って第２ファスナ部６０を形成されている。
第１ファスナ部４０は、図３ないし図６に示すように、前胴部１４の開口縁２０に沿って、１つの連続したファスナ部材７０を溶着して取り付けられ、第１ファスナ部４０を形成されている。
第２ファスナ部６０は、図３ないし図６に示すように、後胴部１６の開口縁２６に沿って、１つの連続したファスナ部材７０を溶着して取り付けられ、第２ファスナ部６０を形成されている。第１ファスナ部４０と第２ファスナ部６０とは、閉口時に密着するように、全体の幅及び長さが同じである。
【００１１】
これらの前胴部１４及び後胴部１６は、例えば柔軟性を有する基層部と、ファスナ部材７０を溶着させるための溶着層部とを有する合成樹脂シートなどで形成される。溶着層部は、前記基層部のファスナ部材７０の溶着部４２及び溶着部６２と溶着される面に形成されている。
この実施の形態においては、基層部は、ＥＶＡ（エチレン酢酸ビニル共重合樹脂）で形成され、基層部の内表面側に形成された溶着層部は、ポリプロピレンで形成されている。そして、基層部の外表面側は、溶着層部と同じポリプロピレンの表層部を、基層部の外表面に形成されている。
基層部は、溶着層部及び表層部よりその厚さが厚い。
この実施の形態においては、基層部７〜８に対して、溶着層部及び表層部は、１〜１．５の割合の厚さである。すなわち、基層部７：溶着層部１．５：表層部１．５〜基層部８：溶着層部１：表層部１である。
【００１２】
前胴部１４及び後胴部１６は、それらの一方の隅部の円弧状部２２及び円弧状部２８が、外側に膨らむ円弧状に形成されている。
そして、前胴部１４は、隅部を構成する円弧状部２２を挟んで、２辺の上部直線部２４ａと側部直線部２４ｂとを形成され、後胴部１６は、隅部を構成する円弧状部２８を挟んで、２辺の上部直線部３０ａと側部直線部３０ｂとを形成されている。
前記前胴部１４の円弧状部２２及び後胴部１６の円弧状部２８は、外方に向けて膨らむ円弧状の端縁であって、曲率半径が、１００ｍｍ未満であり２０ｍｍを超える。前胴部１４及び後胴部１６のファスナ部材７０との接着領域は、厚さが、０．４ｍｍ未満で０．２ｍｍを超える。
【００１３】
すなわち、このファスナ部材７０は、溶着部４２及び溶着部６２を前胴部１４及び後胴部１６の内側面と溶着できる熱接着性を有する合成樹脂により、形成されている。ファスナ部材７０は、前胴部１４及び後胴部１６と同一性を有する合成樹脂により形成されている。
この実施の形態においては、ファスナ部材７０は、前胴部１４及び後胴部１６の溶着層部と同じ、たとえばポリプロピレンなどの合成樹脂で一体成形されている。
ファスナ部材７０は、図１０及び図１１のファスナ部材７０の拡大図に示すように、フォルダ本体１２の前胴部１４及び後胴部１６の上辺及びそれに隅部を介して連続する（左）側辺に沿って、たとえば超音波溶着などの溶着法によって取り付けられる。
ファスナ部材７０は、前胴部１４に溶着される第１ファスナ部材７２と、後胴部１６に溶着される第２ファスナ部材７４とを備えている。
第１ファスナ部材７２及び第２ファスナ部材７４は、前胴部１４及び後胴部１６に溶着される前は、熱溶着性を有する合成樹脂で略々直線状に成形され、何れの箇所を切断しても同一断面形状を有しているように押し出し成形法等で成形されたものである。
【００１４】
第１ファスナ部材７２は、第２ファスナ部材７４と同一性を有し、開口縁２０に沿い且つ円弧状部２２に沿ってわん曲させて溶着させることができるように柔軟で幅狭な帯状の溶着部４２と、開口縁２０に沿い且つ円弧状部２２に沿ってわん曲させて溶着させることができるように柔軟で幅狭な筋状であるとともに、前記溶着部４２から後胴部１６側に向けて突出され、その内部に挟持するための空隙を有するように構成された、挟持凹部４４とを有する。
挟持凹部４４は、左右に分かれた筋状の突起（条）で構成され、２条の突起の間に後述する第２ファスナ部６０の凸条部６４を挟持するための空隙を形成されている。前記空隙は、第１ファスナ部４０の両端、すなわち、隅部において溶着して塞がれる。
第１ファスナ部材７２は、外側端縁を前胴部１４の開口縁２０の縁と揃うように重ね合わせて、溶着部４２において前胴部１４と溶着され、第１ファスナ部４０を構成する。
第２ファスナ部材７４は、開口縁２６に沿い且つ円弧状部２８に沿ってわん曲させて溶着させることができるように柔軟で幅狭な帯状の溶着部６２と、開口縁２６に沿い且つ円弧状部２８に沿ってわん曲させて溶着させることができるように柔軟で幅狭な筋状であるとともに、前記溶着部６２から前胴部１４側に向けて突出された凸条部６４とを有する。
第２ファスナ部材７４は、外側端縁を後胴部１６の開口縁２６の縁と揃うように重ね合わせて、溶着部６２において後胴部１６と溶着され、第２ファスナ部６０を構成する。
【００１５】
前記第１ファスナ部４０は、フォルダ本体１２を開口したときに第２ファスナ部６０と重なるように開口部において同一位置に形成され、開口縁２０に沿い且つ円弧状部２２に沿ってわん曲させて溶着させることができるように柔軟で幅狭な帯状の溶着部４２と、開口縁２０に沿い且つ円弧状部２２に沿ってわん曲させて溶着させることができるように柔軟で幅狭な筋状であるとともに、前記溶着部４２から後胴部１６側に向けて突出された、挟持凹部４４とを有する。
第２ファスナ部６０は、フォルダ本体１２を閉口したときに第１ファスナ部４０と重なるように開口部において同一位置に形成され、開口縁２６に沿い且つ円弧状部２８に沿ってわん曲させて溶着させることができるように柔軟で幅狭な帯状の溶着部６２と、開口縁２６に沿い且つ円弧状部２８に沿ってわん曲させて溶着させることができるように柔軟で幅狭な筋状であるとともに、前記溶着部６２から前胴部１４側に向けて突出された凸条部６４とを有する。
【００１６】
前記前胴部１４の後胴部１６との対向面に第１ファスナ部材７２を溶着されて形成された前記第１ファスナ部４０は、前記後胴部１６の前胴部１４との対向面に第２ファスナ部材７４を溶着されて形成された前記第２ファスナ部６０とフォルダ本体１２の閉口時に重なり合い、且つ、前記第１ファスナ部４０の挟持凹部４４は、左右に分かれた筋状の突起（条）で構成され、２条の突起の間に後述する第２ファスナ部６０の凸条部６４を挟持するための空隙を形成され、前記第２ファスナ部６０の凸条部６４の両側に、係合部を構成する２条の突起を位置させて、フォルダ本体１２の閉口時に、２条の突起により凸条部６４を挟持するように構成されている。第１ファスナ部４０及び第２ファスナ部６０は、両端において溶着されている。
この実施の形態においては、第１ファスナ部４０と第２ファスナ部６０とは、右上隅部と左下隅部において溶着されて接合されている。前記空隙は、第１ファスナ部４０の両端、すなわち、隅部において溶着して塞がれている。
【００１７】
前記第１ファスナ部４０の挟持凹部４４は、溶着部４２の内部から溶着部４２と交差する方向に突き出された幅狭の立設部４６と、前記立設部４６の自由端において、前記立設部４６と交差する方向に突き出された係合部４８とを備える。
立設部４６及び係合部４８は、前胴部１４の円弧状部２２に沿って正面視わん曲されたわん曲部と、上部直線部２４ａ及び側部直線部２４ｂに沿って正面視直線状にのびる直線部とを有する。
前記立設部４６は、第２ファスナ部６０の凸条部６４の両側（内側と外側）に位置するように、間隔をおいて２条形成された、内立設部４６ａと外立設部４６ｂとから構成されている。
前記係合部４８は、第２ファスナ部６０の凸条部６４の嵌合部６８の両側（内側と外側）に係合して第２ファスナ部６０の嵌合部６８を嵌合させるように、閉口時に嵌合部６８の溶着部６２側に位置するように形成されている。
前記係合部４８は、内立設部４６ａにおいて外立設部４６ｂとの対向面に形成された内係合部４８ａと、外立設部４６ｂにおいて内立設部４６ａとの対向面に形成された外係合部４８ｂとから構成されている。
【００１８】
前記第２ファスナ部６０の凸条部６４は、溶着部６２の内部から溶着部６２と直交する方向に突き出た幅狭の立設部６６と、前記立設部６６の自由端において、前記立設部６６と交差する方向に突き出された嵌合部６８とを備える。
立設部６６及び係合部６８は、後胴部１６の円弧状部２８に沿って正面視わん曲されたわん曲部と、上部直線部３０ａ及び側部直線部３０ｂに沿って正面視直線状にのびる直線部とを有する。
嵌合部６８は、その上部が、フォルダ本体１２を閉口するときに係合部４８の下面（後面）を摺動して嵌入することを容易にするために中央が高く左右に至る程低くなる斜面を有し、且つ、その下部が、係合部４８の内係合部４８ａ及び外係合部４８ｂに係止されるために鉤状の突起が突き出されている。
挟持凹部４４を構成する立設部４６及び係合部４８並びに凸条部６４を構成する立設部６６及び嵌合部６８は、フォルダ１０の開口部を塞ぐことができるように、開口縁２０及び開口縁２６に沿って連続して形成されている。
【００１９】
第１ファスナ部４０の溶着部４２は、立設部４６を挟んで２条に分かれており、前胴部１４の開口縁２０に沿って溶着される内溶着部４２ａと、立設部４６より前胴部１４の外側に位置して溶着される外溶着部４２ｂとを有する。
第２ファスナ部６０の溶着部６２は、立設部６６を挟んで２条に分かれており、後胴部１６の開口縁２６に沿って溶着される内溶着部６２ａと、立設部６６より後胴部１６の外側に位置して溶着される外溶着部６２ｂとを有する。
そのために、立設部４６及び係合部４８のわん曲部の曲率半径は、円弧状部２２より外溶着部４２ｂの幅の分短くなり、立設部６６及び嵌合部６８のわん曲部の曲率半径は、円弧状部２８より外溶着部６２ｂの幅の分短くなる。
【００２０】
この実施の形態のフォルダ１０は、フォルダ本体１２の開口部に付設されたスライダ８０により開閉される。
スライダ８０は、前胴部１４の第１ファスナ部４０の挟持凹部４４及び後胴部１６の第２ファスナ部６０の凸条部６４の外側に付設され、第１ファスナ部４０及び第２ファスナ部６０を形成された前胴部１４及び後胴部１６の外表面を摺動することにより、フォルダ本体１２の開口縁２０及び開口縁２６を開閉することができるように構成されている。
この実施の形態のスライダ８０は、第１ファスナ部４０の挟持凹部４４と第２ファスナ部６０の凸条部６４とを挟むように、フォルダ本体１２の開口領域に摺動自在に設けられ、挟持凹部４４と凸条部６４とを前胴部１４及び後胴部１６の外表面から内側に向けて押圧する一対の押圧部８２及び押圧部８４を備える。さらに、スライダ８０は、押圧部８２と押圧部８４の中間において、押圧部８２及び押圧部８４と間隔をおいて平行に設けられ、スライダ８０を摺動することによって、嵌合されて閉口した第１ファスナ部４０の挟持凹部４４と第２ファスナ部６０の凸条部６４とを脱係するための、開閉凸部８６とを備えている。
【００２１】
この実施の形態においては、フォルダ本体１２を構成する、前胴部１４の円弧状部２２及び後胴部１６の円弧状部２８は、外方に向けて膨らむ円弧状の端縁であって、曲率半径が、１００ｍｍ未満であり２０ｍｍを超える。前胴部１４及び後胴部１６のファスナ部材７０との接着領域は、厚さが、０．４ｍｍ以下で０．１ｍｍ以上である。
前胴部１４及び後胴部１６のファスナ部材７０との接着領域にファスナ部材７０を溶着したときの溶着領域の膨らみが、０．０６ｍｍ未満で０．０２ｍｍを超えるように、合成樹脂シートの前胴部１４及び後胴部１６のファスナ部材７０との接着領域が形成されている。
【００２２】
図１３に示すように、前胴部１４及び後胴部１６の厚さは、０．４ｍｍ以下で０．１ｍｍ以上であれば、超音波溶着による前胴部１４及び後胴部１６の溶着部４２及び溶着部６２の溶着による膨らみ等を最適な溶着部４２及び溶着部６２とすることができる。
前胴部１４及び後胴部１６の厚さが大きいと、溶着部分が大きくはみ出し、スライダ８０が摺動しにくくなる。
また、前胴部１４及び後胴部１６の厚さが小さいと、溶着強度が弱くなるおそれがある。
【００２３】
第１ファスナ部材７２は、立設部４６が前胴部１４の内側面に直交するように且つ立設部４６が前胴部１４の開口縁２０に沿ってのびるように前胴部１４の内側面に接し合わされ、円弧状部２２の領域においては、第１ファスナ部材７２の溶着部４２及び挟持凹部４４をわん曲させて円弧状部２２に沿って第１ファスナ部４０を形成されるように保持して、溶着部４２を前胴部１４に溶着される。
第２ファスナ部材７４は、立設部６６が後胴部１６の内側面に直交するように且つ立設部６６が後胴部１６の開口縁２６に沿ってのびるように後胴部１６の内側面に接し合わされ、円弧状部２８の領域においては、第２ファスナ部材７４の溶着部６２及び凸条部６４をわん曲させて円弧状部２８に沿って第２ファスナ部６０を形成されるように保持して、溶着部６２を後胴部１６に溶着される。
溶融しない部分を残して、溶着部分は、間欠的に溶着され形成されている。
溶着部分は、平面視方形、平面視円形などのスポット状である。
この実施の形態においては、第１ファスナ部材７２の溶着部４２は、幅２．０〜３．０ｍｍで厚さ０．２〜１．１６ｍｍの断面略長方形状の薄い幅狭の帯状体からなる。
この実施の形態においては、第２ファスナ部材７４の溶着部６２は、幅２．０〜３．０ｍｍで厚さ０．２〜１．１６ｍｍの断面略長方形状の薄い幅狭の帯状体からなる。
そして、この実施の形態においては、第１ファスナ部材７２は、前胴部１４の開口縁２０に沿って平面状の溶着部４２を前胴部１４の内側面に接し合わせ、０．３５〜２．０ピッチで、縦０．３５〜０．９ｍｍ，横０．３５〜０．９ｍｍ，深さ０．１５〜０．２７ｍｍの溶着部分ができるように、超音波溶着法により溶着する。
そして、この実施の形態においては、第２ファスナ部材７４は、後胴部１６の開口縁２６に沿って平面状の溶着部６２を後胴部１６の内側面に接し合わせ、０．３５〜２．０ピッチで、縦０．３５〜１．１５ｍｍ，横０．３５〜１．１５ｍｍ，深さ０．１５〜０．２７ｍｍの溶着部分ができるように、超音波溶着法により溶着する。
【００２４】
溶着部４２及び溶着部６２の幅が２ｍｍ未満であるとファスナ部材７０に加工を施すことなく第１ファスナ部材７２及び第２ファスナ部材７４を前胴部１４及び後胴部１６に溶着することができる。
溶着部４２及び溶着部６２の幅が３．０ｍｍを超えると、円弧状部２２及び円弧状部２８において、ファスナ部材７０をわん曲させたとき、シワがより見映えが悪くなる。
溶着部４２及び溶着部６２の厚さが、０．２ｍｍ以上で１．１６ｍｍ以下であると、前胴部１４及び後胴部１６との溶解する割合がよく強度的に最も強く溶着することができる。
溶着部４２と前胴部１４との溶着部分が、縦０．３５ｍｍ以上で０．９ｍｍ以下、横０．３５ｍｍ以上で０．９ｍｍ以下、深さ０．１５ｍｍ以上で０．２７ｍｍ以下であると、ファスナ部材７０と前胴部１４及び後胴部１６との溶解する割合がよく強度的に最も強く溶着することができる。
溶着部６２と後胴部１６との溶着部分が、縦０．３５ｍｍ以上で１．１５ｍｍ以下、横０．３５ｍｍ以上で１．１５ｍｍ以下、深さ０．１５ｍｍ以上で０．２７ｍｍ以下であると、ファスナ部材７０と前胴部１４及び後胴部１６との溶解する割合がよく強度的に最も強く溶着することができる。
【００２５】
この実施の形態においては、溶着部４２の内溶着部４２ａ及び外溶着部４２ｂは、幅０．３５〜０．９ｍｍで厚さ０．２〜１．１６ｍｍの断面略長方形状の薄い幅狭の帯状体からなる。
この実施の形態においては、溶着部６２の内溶着部６２ａ及び外溶着部６２ｂは、幅０．６５〜１．１５ｍｍで厚さ０．２〜１．１６ｍｍの断面略長方形状の薄い幅狭の帯状体からなる。
そして、この実施の形態においては、溶着部４２の内溶着部４２ａ及び外溶着部４２ｂは、前胴部１４の開口縁２０に沿って平面状の内溶着部４２ａ及び外溶着部４２ｂを前胴部１４の内側面に接し合わせ、０．３５〜２．０ピッチで、縦０．３〜０．９ｍｍ，横０．３〜０．９ｍｍ，深さ０．１５〜０．２７ｍｍの溶着凹み部分ができるように、超音波溶着法により溶着する。
そして、この実施の形態においては、溶着部６２の内溶着部６２ａ及び外溶着部６２ｂは、後胴部１６の開口縁２６に沿って平面状の溶着部６２を後胴部１６の内側面に接し合わせ、０．３５〜２．０ピッチで、縦０．３〜１．１５ｍｍ，横０．３〜１．１５ｍｍ，深さ０．１５〜０．２７ｍｍの溶着凹み部分ができるように、超音波溶着法により溶着する。
【００２６】
内溶着部４２ａ及び外溶着部４２ｂの幅が０．３５ｍｍ以上であるとファスナ部材７０に加工を施すことなく第１ファスナ部材７２を前胴部１４に溶着することができる。
内溶着部４２ａ及び外溶着部４２ｂの幅が０．９ｍｍを超えると、円弧状部２２において、ファスナ部材７０をわん曲させたとき、シワがより見映えが悪くなる。
内溶着部６２ａ及び外溶着部６２ｂの幅が０．６５ｍｍ以上で１．１５ｍｍ以下であるとファスナ部材７０に加工を施すことなく第２ファスナ部材７４を後胴部１６に溶着することができる。
内溶着部６２ａ及び外溶着部６２ｂの幅が１．１５ｍｍを超えると、円弧状部２８において、ファスナ部材７０をわん曲させたとき、シワがより見映えが悪くなる。
内溶着部４２ａ及び外溶着部４２ｂ並びに内溶着部６２ａ及び外溶着部６２ｂの厚さが、０．２ｍｍ以上で１．１６ｍｍ以下であると、前胴部１４及び後胴部１６との溶解する割合がよく強度的に最も強く溶着することができる。
内溶着部４２ａ及び外溶着部４２ｂと前胴部１４との溶着凹み部分が、縦０．３ｍｍ以上で０．９ｍｍ以下、横０．３ｍｍ以上で０．９ｍｍ以下、深さ０．１５ｍｍ以上で０．２７ｍｍ以下であると、開口縁２０と前胴部１４及び後胴部１６との溶解する割合がよく強度的に最も強く溶着することができる。
内溶着部６２ａ及び外溶着部６２ｂと後胴部１６との溶着凹み部分が、縦０．３ｍｍ以上で１．１５ｍｍ以下、横０．３ｍｍ以上で１．１５ｍｍ以下、深さ０．１５ｍｍ以上で０．２７ｍｍ以下であると、ファスナ部材７０と前胴部１４及び後胴部１６との溶解する割合がよく強度的に最も強く溶着することができる。
【００２７】
この実施の形態においては、前胴部１４の第１ファスナ部４０の溶着部分は、内側面に溶着による膨らみが形成され、外側面に溶着による膨らみが形成されないように形成されている。
また、後胴部１６の第２ファスナ部６０の溶着部分は、内側面に溶着による膨らみが形成され、外側面に溶着による膨らみが形成されないように形成されている。
而して、前胴部１４の第１ファスナ部４０の領域及び後胴部１６の第２ファスナ部６０の領域は、その外表面が円滑に形成されている。
【００２８】
本発明は、前記実施の形態に限定されることなく、本発明の思想に基づき、変更することが可能である。
例えば、図１４に示すように、フォルダ本体１２の連結部１８を下辺のみに設け、上辺及び左右両側辺を開口部として、前胴部１４及び後胴部１６に開口縁（開口縁２０及び開口縁２６）及びファスナ部（第１ファスナ部４０及び第２ファスナ部６０）を形成してもよい。
また、図１５に示すように、フォルダ本体１２の４つの隅部のうち、上辺の左右２つの隅部及び下辺の右側の隅部を円弧状部２２及び円弧状部２８としてもよい。
また、図１６に示すように、フォルダ本体１２の開口部の形状を変更してもよく、図示するように、円弧状部２２及び円弧状部２８を隅部のみに形成することなく、上辺などの中間において形成してもよい。
また、円弧状部２２及び円弧状部２８を、内側に凹む円弧状部２２及び円弧状部２８としてもよい。
【産業上の利用可能性】
【００２９】
この発明は、中に物を入れて、開口部を閉じるようにした入れ物として利用することができる。
【符号の説明】
【００３０】
１０  フォルダ
１２  フォルダ本体
１４  前胴部
１６  後胴部
１８  連結部
２０  開口縁
２２  円弧状部
２４  直線部
２４ａ  上部直線部
２４ｂ  側部直線部
２６  開口縁
２８  円弧状部
３０  直線部
３０ａ  上部直線部
３０ｂ  側部直線部
４０  第１ファスナ部
４２  溶着部
４２ａ  内溶着部
４２ｂ  外溶着部
４４  挟持凹部
４６  立設部
４６ａ  内立設部
４６ｂ  外立設部
４８  係合部
４８ａ  内係合部
４８ｂ  外係合部
６０  第２ファスナ部
６２  溶着部
６２ａ  内溶着部
６２ｂ  外溶着部
６４  凸条部
６６  立設部
６８  嵌合部
７０  ファスナ部材
７２  第１ファスナ部材
７４  第２ファスナ部材
８０  スライダ
８２  押圧部
８４  押圧部
８６  開閉凸部
【図１】
0005383637.tif 000002
【図２】
0005383637.tif 000003
【図３】
0005383637.tif 000004
【図４】
0005383637.tif 000005
【図５】
0005383637.tif 000006
【図６】
0005383637.tif 000007
【図７】
0005383637.tif 000008
【図８】
0005383637.tif 000009
【図９】
0005383637.tif 000010
【図１０】
0005383637.tif 000011
【図１１】
0005383637.tif 000012
【図１２】
0005383637.tif 000013
【図１３】
0005383637.tif 000014
【図１４】
0005383637.tif 000015
【図１５】
0005383637.tif 000016
【図１６】
0005383637.tif 000017
【図１７】
0005383637.tif 000018